(57)【要約】【課題】金物の数量を少なくして、金物の製作コストと溶接作業の低減を図る。【解決手段】平行に配列されたボイラ伝熱管の隣同士を互いに係合して配管１、１ａの振動を抑制する配管整列装置２において、一方の配管１ａには中心面が両方の配管１、１ａの中心線６を含む平面７と一致し、基端が配管１ａに溶接され、先端には手前方向に向って開いたＶ字状の部材４ａを有する矢印状の金物４が取り付けられ、他方の配管１には基端が配管１に溶接され、先端が手前方向に開いた一対の鉤状の金物３、３が、上記矢印状の金物４を挟んで平行に取り付けられてなり、上記矢印状の金物４の部材４ａの先端の内面４ｂと鉤状の部材３、３の先端３ａ、３ａの内面３ｂ、３ｂとは面接触するように当接している。【選択図】        図２
2004316942.tif 000002
【特許請求の範囲】
【請求項１】
平行に配列されたボイラ伝熱管の隣同士を互いに係合して配管の振動を抑制する配管整列装置において、一方の配管には中心面が両方の配管の中心線を含む平面と一致し、基端が配管に溶接され、先端には手前方向に向って開いたＶ字状の部材を有する矢印状の金物が取り付けられ、他方の配管には基端が配管に溶接され、先端が手前方向に開いた一対の鉤状の金物が、上記矢印状の金物を挟んで平行に取り付けられてなり、上記矢印状の金物の部材の先端の内面と鉤状の部材の先端の内面とは面接触するように当接していることを特徴とする配管整列装置。
【請求項２】
上記矢印状の金物および鉤状の金物は、鍛造法により成形された請求項１記載の配管整列装置。
【発明の詳細な説明】
【０００１】
【発明の属する技術分野】
本発明は、配管整列装置に係り、特に平行に配列されたボイラ伝熱管の隣同士を互いに係合して配管の振動を抑制する配管整列装置に関するものである。
【０００２】
【従来の技術】
ボイラなどの熱交換器では、伝熱管は外部を流れる高温の気体により振動が発生し、付け根に大きな応力がかかる。
【０００３】
このような配管の振動を抑制するため、たとえば、特許文献１に示すように、平行に配列された多数のボイラ伝熱管の隣同士を配管整列装置により連結するようにしている。
【０００４】
【特許文献１】
特開２０００−１８５０４
【０００５】
図３は特許文献１に開示された配管整列装置の概略図であり、図４は図３のＡ矢視図である。図３および図４において、ａ、ｂはボイラの管寄せである。管寄せａ、ｂは、伝熱管ｃによって連通されており、該伝熱配管ｃの途中の受熱部ｄ、ｅは屈曲成形されている。ｉは棒状スライドスペーサ（係合金物）である。スライドスペーサｉは、伝熱配管ｃが自由に膨張収縮ができるように互いに摺動可能になっている。ｊはＶ字状溝である。ｋは係合金物ｉと配管ｃとの溶接部である。
【０００６】
上記隣接する配管ｃ同士は、隣接した上下方向２段の配管整列装置ｈにより連結され、平行に、かつ、所要の間隔に維持されている。
【０００７】
図５（Ａ）は従来の他の配管整列装置の概略図であり、図５（Ｂ）は図５（Ａ）の一部拡大斜視図である。屈曲部ｓ付近では伝熱管同志を係合しても意味がないので、屈曲部ｓを挟む配管同志を連結せず、図５（Ａ）に示すような配置になっている。図５（Ａ）、（Ｂ）において、ｍ、ｎは一対のボイラ伝熱配管である。ｏは配管整列装置である。配管整列装置ｏは、隣り合う配管ｍ、ｎに基端がそれぞれ溶接され、先端には略Ｌ字状の鉤部材を有する係合金物ｐ、ｑが取り付けられ、双方の先端の内面が面接触するように当接して隣同士を互いに係合するように構成している。ここでは係合金物ｐ、ｑを上下方向に３段設けている。ｒは溶接部である。係合金物ｐ、ｑを、たとえば、図５（Ｂ）の最上段のもの一対にすると、配管ｎから見て配管ｍが右方向に動こうとする場合には動きを拘束するが、逆に左方向に動こうとする場合には拘束しないことになり、振動抑制効果が半減してしまう。そのため図５（Ｂ）に示すように、係合金物ｐ、ｑの向きを互いに反対にして、かつ、上下方向に隣接して２段以上設ける必要がある。
【０００８】
図６は従来の他の配管整列装置の正面図である。なお、図６に示す配管整列装置は、図５に示す配管整列装置ｏと係合金物の形状が相違するだけで、同様の構成を有しており、同じ部材には同じ符号を付して説明し、重複する説明は省略する。ｏは配管整列装置である。隣り合う配管ｍ、ｎには、先端に略レ字状の鉤部材を有する係合金物ｐ１、ｑ１が取り付けられ、双方の先端の内面が面接触するように当接して隣同士を互いに係合するように構成している。この場合も上下方向に隣接して２段以上設ける必要がある。
【０００９】
【発明が解決しようとする課題】
このように、係合金物ｐ、ｑは上下方向に隣接して２段以上設ける必要があるので、金物の数量が多くなり、金物の製作コストが嵩むだけでなく、取り付けが耐圧部分の配管への溶接であるため、高度の溶接技術が要求されるので、溶接作業に多大な労力を要する。
【００１０】
本発明は、従来技術のかかる問題点に鑑み案出されたもので、配管の振動を確実に抑制しながら、金物の数量を少なくして、金物の製作コストおよび重量の低減を図り、かつ、溶接作業の低減を図ることのできる配管整列装置を提供することを目的とする。
【００１１】
【課題を解決するための手段】
上記目的を達成するため、本発明の配管整列装置は、平行に配列されたボイラ伝熱管の隣同士を互いに係合して配管の振動を抑制する配管整列装置において、一方の配管には中心面が両方の配管の中心線を含む平面と一致し、基端が配管に溶接され、先端には手前方向に向って開いたＶ字状の部材を有する矢印状の金物が取り付けられ、他方の配管には基端が配管に溶接され、先端が手前方向に開いた一対の鉤状の金物が、上記矢印状の金物を挟んで平行に取り付けられてなり、上記矢印状の金物の部材の先端の内面と鉤状の部材の先端の内面とは面接触するように当接しているものである。
【００１２】
上記矢印状の金物および鉤状の金物は、鍛造法により成形されるのが好ましい。
【００１３】
次に本発明の作用を説明する。平行に配列されたボイラ伝熱管の隣同士を、一方の配管には先端に手前方向に向って開いたＶ字状の部材を有する矢印状の金物を取り付け、他方の配管には先端が手前方向に開いた一対のレ字状の部材を有する鉤状の金物を、上記矢印状の金物を挟んで平行に取り付け、上記矢印状の金物のＶ字状の部材の先端の内面と鉤状の部材の先端の内面とを面接触するように当接しているので、配管の振動を確実に抑制するとともに、上下２段ないし３段に配置しなくてもよくなり、金物の数量を少なくして、金物の製作コストおよび重量の低減を図り、かつ、溶接作業の低減を図ることができる。
【００１４】
【発明の実施の形態】
以下、本発明の一実施形態について図面を参照しつつ説明する。図１は本発明の配管整列装置の概略図である。図２は図１のＡ矢視図である。図１および図２において、１、１ａは平行に配列されたボイラ伝熱管の隣り合う配管である。図１に示すように、ボイラ伝熱管１は中間で折り曲げてパネル状に形成されている。２は配管１、１ａを互いに係合する配管整列装置である。４は一方の配管１ａに取り付けられた矢印状の金物で、中心面が両方の配管１、１ａの中心線６を含む平面７と一致し、基端が配管１ａに溶接され、先端には手前方向に向って開いたＶ字状の部材４ａを有している。３、３は他方の配管１に取り付けられた一対の鉤状の金物で、基端が配管１に溶接され、先端３ａ、３ａは手前方向に開いた鉤部材を有していてレ字状になっており、矢印状の金物４を挟んで平行に取り付けられている。矢印状の金物４の先端のＶ字状の部材４ａの内面４ｂと、鉤状の部材３、３の先端３ａ、３ａの内面３ｂ、３ｂとは面接触するように当接している。５は鉤状の金物３、３の基端と配管１、矢印状の金物４の基端と配管１ａとの溶接部である。このように配管整列装置２は、矢印状の金物４と一対の鉤状の金物３、３とによって構成されている。これら矢印状の金物４および鉤状の金物３、３は、鍛造法により成形されている。
【００１５】
次に本実施形態の作用を説明する。平行に配列されたボイラ伝熱管１、１ａの隣同士を、一方の配管１ａには先端に手前方向に向って開いたＶ字状の部材４ａを有する矢印状の金物４を取り付け、他方の配管１には先端３ａ、３ａが手前方向に開いた一対の鉤状の金物３、３を、上記矢印状の金物４を挟んで平行に取り付け、上記矢印状の金物４のＶ字状の部材の先端４ａの内面４ｂと鉤状の部材３の先端３ａ、３ａの内面３ｂ、３ｂとを面接触するように当接している。したがって、配管１と配管１ａとが相対的に左右方向に動こうとしても、その動きを左右両方向とも拘束するので、図５に示すように、上下方向に２段以上配置しなくても配管１、１ａの振動を確実に抑制する。また、配管１、１ａに熱膨張の差があっても、当接面３ｂ、３ｂは配管１、１ａの中心線方向に摺動可能なので問題ない。金物３、４は、図５に示すように、２段以上隣接して上下方向に並べて配置しなくてもよいので、数量が少なくてすみ、金物３、４の製作コストおよび重量の低減を図り、かつ、溶接作業の低減を図ることができる。
【００１６】
本発明は、以上述べた実施形態に限定されるものではなく、発明の要旨を逸脱しない範囲で種々の変更が可能である。
【００１７】
【発明の効果】
以上述べたように、本発明の配管整列装置は、矢印状の金物と鉤状の部材とを１段取り付ければよいので、配管の振動を確実に抑制しながら、金物の数量を少なくして、金物の製作コストおよび重量の低減を図り、かつ、溶接作業の低減を図ることができるという優れた効果を奏する。
【図面の簡単な説明】
【図１】本発明の配管整列装置の概略図である。
【図２】図１のＡ矢視図である。
【図３】特許文献１に開示された配管整列装置の概略図である。
【図４】図３のＡ矢視図である。
【図５】（Ａ）は従来の配管整列装置の概略図、（Ｂ）は図５（Ａ）の一部拡大図である。
【図６】従来の配管整列装置の正面図である。
【符号の説明】
１、１ａ    配管
２      配管整列装置
３、３      一対の鉤状の金物
４      矢印状の金物
５      溶接部
６      中心線
７      平面
【図１】
2004316942.tif 000003
【図２】
2004316942.tif 000004
【図３】
2004316942.tif 000005
【図４】
2004316942.tif 000006
【図５】
2004316942.tif 000007
【図６】
2004316942.tif 000008